(57)【要約】      （修正有）【課題】操作部をユーザーがより操作しやすくなるように改善した扇風機を提供する。【解決手段】載置面に載置される基台と、基台の上に設けられた支柱と、支柱の上部に設けられた送風部と、を備えた扇風機であって、支柱に前方向に突出するように設けられた筒状の操作部５と、操作部の前面に配置された電源ボタン５２と、電源ボタンの周囲に配置された風量調整リング５３と、を備えた。【選択図】図４
0003205207.tif 000002
【実用新案登録請求の範囲】
【請求項１】
載置面に載置される基台と、基台の上に設けられた支柱と、支柱の上部に設けられた送風部と、を備えた扇風機であって、
前記支柱に前方向に突出するように設けられた筒状の突出部と、
この突出部の前面に配置された電源操作部と、
この電源操作部の周囲に配置された風量調整部と、を備えたことを特徴とする扇風機。
【請求項２】
前記突出部は、円筒状に形成されており、前記風量調整部は、前記突出部の円筒中心軸周りに回転可能な操作部として構成されることを特徴とする請求項1に記載の扇風機。
【請求項３】
前記突出部の前面において、前記電源操作部と、前記風量調整部の間のスペースに、風量表示部が配置されていることを特徴とする請求項１又は２に記載の扇風機。
【請求項４】
前記支柱は、基台に固定される固定支柱と、この固定支柱に対して上下方向に伸縮移動可能に設けられる可動支柱と、により構成され、前記突出部は、前記固定支柱の上部に配置されることを特徴とする請求項１〜３のいずれか１項に記載の扇風機。
【請求項５】
前記支柱に対して前記突出部と反対側の同じ高さに、前記可動支柱の伸縮操作部を配置したことを特徴とする請求項１〜４のいずれか１項に記載の扇風機。
【請求項６】
前記固定支柱の下部にリモコン取り付け部を設けたことを特徴とする請求項１〜５のいずれか１項に記載の扇風機。
【考案の詳細な説明】
【技術分野】
【０００１】
本考案は、載置面に載置される基台と、基台の上に設けられた支柱と、支柱の上部に設けられた送風部と、を備えた扇風機に関する。
【背景技術】
【０００２】
かかる扇風機において、電源オン／オフの操作や、風量調節（強、中、弱）の操作は、一般的には、基台の上に設けられた操作部（操作ボタンなど）により行われる。しかし、載置面に近い基台の上に操作部が配置されているため、ユーザーはしゃがまなければ操作を行うことができず、操作性の面で問題があった。そこで、下記特許文献１，２においては、支柱に操作部を設けることで、適切な高さに操作部を配置し、操作性を改善している。
【先行技術文献】
【特許文献】
【０００３】
【特許文献１】実公昭６１−６３１号公報
【特許文献２】実公昭６０−３４８７０号公報
【考案の概要】
【考案が解決しようとする課題】
【０００４】
しかしながら、上記の先行技術においても更なる改善が望まれていた。すなわち、これらの先行技術に係る扇風機では、支柱の表面に操作部を設けるように構成している。従って、扇風機を使用するユーザーから見ると、操作部が遠い位置にあるため、高さの面では操作性は改善されているとしても、まだ不十分であった。
【０００５】
本考案は上記実情に鑑みてなされたものであり、その課題は、操作部をユーザーがより操作しやすくなるように改善した扇風機を提供することである。
【課題を解決するための手段】
【０００６】
上記課題を解決するため本考案に係る扇風機は、
載置面に載置される基台と、基台の上に設けられた支柱と、支柱の上部に設けられた送風部と、を備えた扇風機であって、
前記支柱に前方向に突出するように設けられた筒状の突出部と、
この突出部の前面に配置された電源操作部と、
この電源操作部の周囲に配置された風量調整部と、を備えたことを特徴とするものである。
【０００７】
かかる構成による扇風機の作用・効果を説明する。この扇風機は、支柱に前方向に突出する筒状の突出部が設けられており、その前面に電源操作部が配置される。支柱に操作部が設けられるので、高さの面では操作性が改善されている。また、前方向に突出しているので、ユーザーにより近い位置に操作部が配置されることになる。また、風量調整部も電源操作部の周囲に配置されるので、電源操作部と同様にユーザーにより近い位置に操作部が配置されることになる。その結果、操作部をユーザーがより操作しやすくなるように配置することができた。
【０００８】
本考案における前記突出部は、円筒状に形成されており、前記風量調整部は、前記突出部の円筒中心軸周りに回転可能な操作部として構成されることが好ましい。
【０００９】
筒状の突出部については、特に形状が限定されるものではないが、円筒状に形成することが好ましい。これにより、風量調整部を円筒中心軸周りに回転可能に構成することができ、更に操作性を向上させることができる。
【００１０】
本考案は、前記突出部の前面において、前記電源操作部と、前記風量調整部の間のスペースに、風量表示部が配置されていることが好ましい。
【００１１】
この構成によると、スペースを有効活用して風量表示部を配置することができる。また、風量調整部による調整状態をすぐ近傍にある風量表示部にて確認することができ、ユーザー側からも風量を確認しやすい配置とすることができる。
【００１２】
本考案に係る支柱は、基台に固定される固定支柱と、この固定支柱に対して上下方向に伸縮移動可能に設けられる可動支柱と、により構成され、前記突出部は、前記固定支柱の上部に配置されることが好ましい。
【００１３】
支柱は、送風部の高さを調整するために、固定支柱と可動支柱により構成されることがある。この場合、固定支柱の上部に突出部を配置することで、適切な高さに操作部を配置しながら、可動支柱を構成することができる。
【００１４】
本考案において、前記支柱に対して前記突出部と反対側の同じ高さに、前記可動支柱の伸縮操作部を配置したことが好ましい。
【００１５】
かかる高さに可動支柱の伸縮操作部を配置することで、伸縮操作部についても操作性を維持することができる。
【００１６】
本考案において、前記固定支柱の下部にリモコン取り付け部を設けたことが好ましい。これにより、リモコンを紛失しないように扇風機に対して取り付けておくことができる。
【図面の簡単な説明】
【００１７】
【図１】本実施形態に係る扇風機の外観構成を示す斜視図
【図２】本実施形態に係る扇風機の外観構成を示す側面図
【図３】首振り部分の構成を示す外観斜視図
【図４】操作部の拡大外観斜視図
【図５】操作部先端面の構成を示す図
【図６】操作部の内部構造を示す組み立て図
【図７】操作部の内部構造を示す分解斜視図
【考案を実施するための形態】
【００１８】
本考案に係る扇風機の好適な実施形態を図面を用いて説明する。図１は、扇風機の外観斜視図、図２は、図１の扇風機の外観側面図を示す。図３は、首振り部分の構成を示す外観斜視図である。
【００１９】
図１において、扇風機は、載置面に載置される基台１と、基台の上に設けられる支柱２と、支柱の上に設けられる送風部３とを備えている。基台１は、３本の脚１ａを備えている。中央部に、支柱２が設けられる。脚１ａの載置面側にコロ１ｂが配置されている。なお、基台１の構成は、円盤形、矩形など種々の変形例が可能である。
【００２０】
支柱２は、固定支柱２０と可動支柱２１を備えている。固定支柱２０は、基台１に対して固定されており、移動しない。固定支柱２０は、基台１と一体化された部品として形成してもよいし、別部品として形成して両者を結合してもよい。可動支柱２１は、固定支柱２０に対して伸縮可能であり、上下方向に移動させることができる。これにより、送風部３の設定高さを変更することができる。
【００２１】
送風部３は周知の構成であり、７枚の羽根を有し、羽根を回転させることで送風する。なお、羽根の枚数は適宜設定することができる。送風部３は、支持部４により、可動支柱２１の上部に支持される。支持部４は、第１支持部４１と第２支持部４２を有し送風部３は、第２支持部４２に支持される。第２支持部４２は、回転軸４０により第１支持部４１に対して回転可能に支持される。回転軸４０は水平方向に設定される。また、第１支持部４１は、可動支柱２１に対して回転可能に指示される。その回転軸は垂直方向に設定される。以上の構成により、左右方向の首振りと、上下方向の首振りが可能である。首振りの角度の範囲は適宜設定することができる。
【００２２】
＜操作部の構成＞
つぎに、操作部の構成について説明する。図４は、操作部５の拡大外観斜視図である。操作部５は、固定支柱２０の上部に設けられ、前方に突出した突出部として形成される。操作部５は、円筒形の突出部として形成される。支柱２に操作部５を設けることで、基台１に操作部を設ける構成と比べ、腰をかがめるなどの動作が緩和され、操作性が改善される。特に、操作部５は、扇風機を使用するユーザー側に突出した突出部として形成されるので、腕を必要以上に伸ばさなくてもよく、操作部５に対する操作性がさらに改善される。
【００２３】
操作部５は、根元側（固定支柱２０に近い側）の第１円筒部５０と、先端側の第２円筒部５１により構成される。第１円筒部５０と第２円筒部５１は、外径寸法が同じ円筒形を有している。第１円筒部５０は、固定支柱２０に対して固定して結合される。なお、カバー部材については、固定支柱２０と第１円筒部５０は、別部材として形成されるが、同じ部材として一体形成してもよい。
【００２４】
第１円筒部５０の上面には、タイマーボタン５０ａ、首振りボタン５０ｂ、表示エリア５０ｃを有している。タイマーボタン５０ａはタイマー設定することができ、設定された時間は、表示エリア５０ｃに表示される。首振りボタン５０ｂは、首振り角度を設定することができる。設定された角度は、表示エリア５０ｃに表示される。
【００２５】
第２円筒部５１には、中央部に電源ボタン５２（電源操作部）が設けられている。電源ボタン５２を押すことで電源ＯＮとなり、もう一度押すと電源ＯＦＦになる。一番外周部に風量調整リング５３（風量調整部）が設けられており、第２円筒部５１の円筒軸（前後方向の軸）の周りに回転操作することができる。図５は、操作部５の先端面の配置構成を示す図である。風量調整リング５３を図５の時計方向に回転させると風が強くなる方向になる。反時計方向に回転させると風が弱くなる方向になる。風量調整リング５３を回転させる量に応じて、強さが変化する量が決まる。
【００２６】
電源ボタン５２と風量調整リング５３の間のスペースに風量表示インジケータ５４（風量表示部）が設けられている。風量表示インジケータ５４は、図５に示すように、円周方向に沿って配置された多数のＬＥＤにより構成される。これらＬＥＤの点灯・消灯の組み合わせにより、強風・中風・弱風・微弱風を表示する。かかる構成により、電源ボタン５２と風量調整リング５３の間に形成されるスペースを有効活用することができる。
【００２７】
図２に示すように、操作部５と反対側に伸縮操作部６が設けられている。操作部５と伸縮操作部６は、同軸の円筒形であり、その外径も同じである。伸縮操作部６を押し操作することで、可動支柱２１を伸縮させて送風部３の高さ位置を調整することができる。伸縮機構は公知の構成でよい。図２に示すように、可動支柱２１には、複数の係合溝２１ａが設けられており、不図示の係止機構により、可動支柱２１の高さ位置を設定することができる。
【００２８】
図６及び図７は操作部の内部構造を示す図であり、図６は、組み立てた状態の内部構造を示す図、図７は、分解斜視図である。
【００２９】
正面カバー５１０は、透明樹脂製であり、その前表面は風量表示インジケータ５４として機能する。電源ボタン５２は、正面カバー５１０の中央に設けられた凹部５１０ａに収容される。ＬＥＤ支持体５１１は、リング状に形成されたホルダであり、インジケータとしてのＬＥＤが円周方向に沿って多数配置される。ＬＥＤ支持体５１１は、正面カバー５１０によって保持される。
【００３０】
基板支持体５１２は、基板が搭載されるホルダーであり、電源ボタン５２によりオン／オフされるスイッチや、ＬＥＤを駆動するための駆動回路基板等が搭載される。風量調整リング５３の内面側には支持リング５１３が取り付けられている。この支持リング５１３と基板支持体５１２の間に回転検出部が設けられる。風量調整リング５３の回転方向や回転量を検出する機構は、周知の構成を採用することができる。例えば、エンコーダにより検出する構成が採用可能である。
【００３１】
第１円筒部５０の内部にも支持体５１４が設けられており、タイマーボタン５０ａ、首振りボタン５０ｂ、表示エリア５０ｃを構成する表示素子などが搭載される。支持体５１４の前方側には２本の係合爪５１４ａが設けられている。正面カバー５１０と、ＬＥＤ支持体５１１と、基板支持体５１２は、適宜の方法（ネジ等）により一体結合される。また、係合爪５１４ａは、基板支持体５１２の内部に形成された被係合部に係合可能に構成される。風量調整リング５３は、支持リング５１３と一体化された状態で、正面カバー５１０の外表面５１０ｂにより回転ガイドされる。
【００３２】
図２に示すように、リモコン７を支柱２の下部に取り付けることができる。リモコン７と、支柱２の固定は永久磁石を用いて行うことができる。操作部５で行うことができる操作をリモコン７でも行うことができる。
【００３３】
＜別実施形態＞
本実施形態において、操作部５は、円筒形の突出部として形成されているがこれに限定されるものではない。角型の突出部として形成してもよい。また、第１円筒部５０を角型、第２円筒部５１を円筒形にするなど、異なる形状の組み合わせであってもよい。
【符号の説明】
【００３４】
１        基台
２        支柱
２０      固定支柱
２１      可動支柱
３        送風部
４        支持部
５        操作部
５０      第１円筒部
５１      第２円筒部
５２      電源ボタン（電源操作部）
５３      風量調整リング（風量調整部）
５４      風量表示インジケータ（風量表示部）
【図１】
0003205207.tif 000003
【図２】
0003205207.tif 000004
【図３】
0003205207.tif 000005
【図４】
0003205207.tif 000006
【図５】
0003205207.tif 000007
【図６】
0003205207.tif 000008
【図７】
0003205207.tif 000009